(57)【特許請求の範囲】
【請求項１】
患者に実施した医療検査の検査項目、検査値、および検査日時が関連付けて記憶された複数の検査データと、前記患者に投与した薬剤の種類、投与量、および投与期間が関連付けて記憶された複数の投薬データとを提供する診療支援装置において、
少なくとも１つの前記薬剤の前記投薬データと、前記薬剤の投与により影響を受ける少なくとも１つの前記検査項目の前記検査データとで構成される関連データセットを取得する取得部と、
前記関連データセットについて、前記投与量と前記検査値とを隣接した位置に並べて時系列に表示する関連データセット表示欄を複数有する表示画面の出力を制御する画面出力制御部とを備え、
前記表示画面は、第１表示領域と第２表示領域とに分かれており、
前記第１表示領域は前記関連データセット表示欄を含み、さらに、前記関連データセット表示欄に表示される前記検査項目以外の前記検査項目の前記検査値を時系列に表示し、
前記第２表示領域は、前記第１表示領域の表示期間内の一時点における複数の前記検査項目の前記検査値をリスト表示し、
前記第１表示領域に表示される前記検査項目を第１検査項目、前記第２表示領域に表示される前記検査項目を第２検査項目とした場合、前記第２検査項目には、前記第１検査項目以外の前記検査項目が含まれ、
前記画面出力制御部は、前記取得部で取得した前記検査データに係る全検査項目の中から、前記第１表示領域に前記第１検査項目として表示する前記検査項目、および前記第２表示領域に前記第２検査項目として表示する前記検査項目を設定し、
前記画面出力制御部で設定されていない前記検査項目を前記第１検査項目に追加する、手動入力による追加指定を受け付ける指定受付部を備え、
前記画面出力制御部は、前記指定受付部で前記追加指定を受け付けた前記検査項目を前記第１検査項目に追加し、かつ前記第２検査項目にも追加する診療支援装置。
【請求項２】
前記指定受付部で前記追加指定を受け付けた前記検査項目を、既に前記第２検査項目に設定していた場合、前記画面出力制御部は、既に設定していた前記第２検査項目を他の前記第２検査項目と異なる態様で表示する請求項１に記載の診療支援装置。
【請求項３】
前記指定受付部で前記追加指定を受け付けた前記検査項目を前記第２検査項目にも追加する場合、前記画面出力制御部は、追加する前記第２検査項目の前記検査値について、他の前記第２検査項目と同じ前記検査日時の前記検査値が存在しない場合、別の前記検査日時の前記検査値を表示する請求項１または２に記載の診療支援装置。
【請求項４】
前記画面出力制御部は、前記別の前記検査日時の前記検査値を、他の前記第２検査項目の前記検査値と異なる態様で表示する請求項３に記載の診療支援装置。
【請求項５】
患者に実施した医療検査の検査項目、検査値、および検査日時が関連付けて記憶された複数の検査データと、前記患者に投与した薬剤の種類、投与量、および投与期間が関連付けて記憶された複数の投薬データとを提供する診療支援装置の作動方法において、
少なくとも１つの前記薬剤の前記投薬データと、前記薬剤の投与により影響を受ける少なくとも１つの前記検査項目の前記検査データとで構成される関連データセットを取得する取得ステップと、
前記関連データセットについて、前記投与量と前記検査値とを隣接した位置に並べて時系列に表示する関連データセット表示欄を複数有する表示画面の出力を制御する画面出力制御ステップとを備え、
前記表示画面は、第１表示領域と第２表示領域とに分かれており、
前記第１表示領域は前記関連データセット表示欄を含み、さらに、前記関連データセット表示欄に表示される前記検査項目以外の前記検査項目の前記検査値を時系列に表示し、
前記第２表示領域は、前記第１表示領域の表示期間内の一時点における複数の前記検査項目の前記検査値をリスト表示し、
前記第１表示領域に表示される前記検査項目を第１検査項目、前記第２表示領域に表示される前記検査項目を第２検査項目とした場合、前記第２検査項目には、前記第１検査項目以外の前記検査項目が含まれ、
前記画面出力ステップは、前記取得ステップで取得した前記検査データに係る全検査項目の中から、前記第１表示領域に前記第１検査項目として表示する前記検査項目、および前記第２表示領域に前記第２検査項目として表示する前記検査項目を設定し、
前記画面出力ステップで設定されていない前記検査項目を前記第１検査項目に追加する、手動入力による追加指定を受け付ける指定受付ステップを備え、
前記画面出力ステップは、前記指定受付ステップで前記追加指定を受け付けた前記検査項目を前記第１検査項目に追加し、かつ前記第２検査項目にも追加する診療支援装置の作動方法。
【請求項６】
患者に実施した医療検査の検査項目、検査値、および検査日時が関連付けて記憶された複数の検査データと、前記患者に投与した薬剤の種類、投与量、および投与期間が関連付けて記憶された複数の投薬データとを提供する診療支援装置の作動プログラムにおいて、
少なくとも１つの前記薬剤の前記投薬データと、前記薬剤の投与により影響を受ける少なくとも１つの前記検査項目の前記検査データとで構成される関連データセットを取得する取得機能と、
前記関連データセットについて、前記投与量と前記検査値とを隣接した位置に並べて時系列に表示する関連データセット表示欄を複数有する表示画面の出力を制御する画面出力制御機能とを、コンピュータに実行させ、
前記表示画面は、第１表示領域と第２表示領域とに分かれており、
前記第１表示領域は前記関連データセット表示欄を含み、さらに、前記関連データセット表示欄に表示される前記検査項目以外の前記検査項目の前記検査値を時系列に表示し、
前記第２表示領域は、前記第１表示領域の表示期間内の一時点における複数の前記検査項目の前記検査値をリスト表示し、
前記第１表示領域に表示される前記検査項目を第１検査項目、前記第２表示領域に表示される前記検査項目を第２検査項目とした場合、前記第２検査項目には、前記第１検査項目以外の前記検査項目が含まれ、
前記画面出力機能は、前記取得機能で取得した前記検査データに係る全検査項目の中から、前記第１表示領域に前記第１検査項目として表示する前記検査項目、および前記第２表示領域に前記第２検査項目として表示する前記検査項目を設定し、
前記画面出力機能で設定されていない前記検査項目を前記第１検査項目に追加する、手動入力による追加指定を受け付ける指定受付機能を、コンピュータに実行させ、
前記画面出力機能は、前記指定受付機能で前記追加指定を受け付けた前記検査項目を前記第１検査項目に追加し、かつ前記第２検査項目にも追加する診療支援装置の作動プログラム。
【請求項７】
患者に実施した医療検査の検査項目、検査値、および検査日時が関連付けて記憶された複数の検査データと、前記患者に投与した薬剤の種類、投与量、および投与期間が関連付けて記憶された複数の投薬データとを提供する診療支援装置と、前記診療支援装置にネットワークを介して接続され、前記診療支援装置から前記検査データおよび前記投薬データの提供を受けるクライアント端末とを備える診療支援システムにおいて、
少なくとも１つの前記薬剤の前記投薬データと、前記薬剤の投与により影響を受ける少なくとも１つの前記検査項目の前記検査データとで構成される関連データセットを取得する取得部と、
前記関連データセットについて、前記投与量と前記検査値とを隣接した位置に並べて時系列に表示する関連データセット表示欄を複数有する表示画面の出力を制御する画面出力制御部とを備え、
前記表示画面は、第１表示領域と第２表示領域とに分かれており、
前記第１表示領域は前記関連データセット表示欄を含み、さらに、前記関連データセット表示欄に表示される前記検査項目以外の前記検査項目の前記検査値を時系列に表示し、
前記第２表示領域は、前記第１表示領域の表示期間内の一時点における複数の前記検査項目の前記検査値をリスト表示し、
前記第１表示領域に表示される前記検査項目を第１検査項目、前記第２表示領域に表示される前記検査項目を第２検査項目とした場合、前記第２検査項目には、前記第１検査項目以外の前記検査項目が含まれ、
前記画面出力制御部は、前記取得部で取得した前記検査データに係る全検査項目の中から、前記第１表示領域に前記第１検査項目として表示する前記検査項目、および前記第２表示領域に前記第２検査項目として表示する前記検査項目を設定し、
前記画面出力制御部で設定されていない前記検査項目を前記第１検査項目に追加する、手動入力による追加指定を受け付ける指定受付部を備え、
前記画面出力制御部は、前記指定受付部で前記追加指定を受け付けた前記検査項目を前記第１検査項目に追加し、かつ前記第２検査項目にも追加する診療支援システム。
【発明の詳細な説明】
【技術分野】
【０００１】
本発明は、診療支援装置とその作動方法および作動プログラム、並びに診療支援システムに関する。
【背景技術】
【０００２】
医療分野において、医師の診療を支援するため、患者の診療過程で取得された様々な診療データを加工して医師に提供する診療支援装置が提案されている。診療データには検査データと投薬データが含まれる。検査データは、バイタルサイン、あるいは血液検査、尿検査といった検体検査等、患者に実施した医療検査に関するデータである。検査データは、検査項目、検査値、および検査日時が関連付けて記憶されたものである。検査項目には、例えばバイタルサインであれば体温、脈拍、血圧等があり、血液検査であれば血糖値、ヘモグロビン濃度、ヘマトクリット等がある。投薬データは、患者に投与した薬剤に関するデータである。投薬データは、薬剤の種類（名称）、投与量、および投与期間が関連付けて記憶されたものである。
【０００３】
特許文献１には、検査データの表示欄（数値データ表示欄）と、投薬データの表示欄（投薬期間表示欄）とを有する表示画面（診療情報表示画面）を生成して、これをクライアント端末（診療科端末）のモニタに出力させる診療支援装置（診療情報表示制御装置）が記載されている。検査データの表示欄には、複数の検査項目の検査値の時系列変化を示す折れ線グラフが表示される。投薬データの表示欄には、複数の薬剤の投与量を示す数値と投与期間を示すバーとが表示される。
【先行技術文献】
【特許文献】
【０００４】
【特許文献１】特開２０１５−０９５２１７号公報
【発明の概要】
【発明が解決しようとする課題】
【０００５】
医師は、患者の疾患あるいは病態の進行状況を確認したり、今後の治療方針を決定する際に、投薬による主作用（薬効）の有無、あるいは投薬による副作用の有無等、投薬と患者の状態の因果関係を重要な判断材料としている。
【０００６】
投薬と患者の状態の因果関係は、ある薬剤の投与量の時系列変化と、例えば薬剤が降圧剤の場合はバイタルサインの血圧、インスリンの場合は血液検査の血糖値等、その薬剤の投与により影響を受ける検査項目の検査値の時系列変化とを見比べれば把握することができる。しかし、医師は各薬剤について影響を受ける検査項目を全て分かっている訳ではなく、たとえ分かっていたとしても、薬剤の種類が多くなり、かつ影響を受ける検査項目の数が増えるほど、投薬と患者の状態の因果関係の把握は面倒になる。
【０００７】
このため、複数の薬剤の投薬データと複数の検査項目の検査データとを医師に提供する際には、投薬と患者の状態の因果関係を医師が一目で把握することができる工夫が必要である。しかしながら、特許文献１では、検査データの表示欄と投薬データの表示欄が分かれていて、検査データと投薬データの関連性が一見して明らかでないため、投薬と患者の状態の因果関係を医師が一目で把握しづらかった。
【０００８】
本発明は、複数の薬剤の投薬データと複数の検査項目の検査データとを医師に提供する際に、投薬と患者の状態の因果関係を医師が一目で把握しやすくすることが可能な診療支援装置とその作動方法および作動プログラム、並びに診療支援システムを提供することを目的とする。
【課題を解決するための手段】
【０００９】
上記目的を達成するために、本発明の診療支援装置は、患者に実施した医療検査の検査項目、検査値、および検査日時が関連付けて記憶された複数の検査データと、患者に投与した薬剤の種類、投与量、および投与期間が関連付けて記憶された複数の投薬データとを提供する診療支援装置において、少なくとも１つの薬剤の投薬データと、薬剤の投与により影響を受ける少なくとも１つの検査項目の検査データとで構成される関連データセットを取得する取得部と、関連データセットについて、投与量と検査値とを隣接した位置に並べて時系列に表示する関連データセット表示欄を複数有する表示画面の出力を制御する画面出力制御部とを備える。
【００１０】
表示画面は、第１表示領域と第２表示領域とに分かれており、第１表示領域は関連データセット表示欄を含み、さらに、関連データセット表示欄に表示される検査項目以外の検査項目の検査値を時系列に表示し、第２表示領域は、第１表示領域の表示期間内の一時点における複数の検査項目の検査値をリスト表示し、第１表示領域に表示される検査項目を第１検査項目、第２表示領域に表示される検査項目を第２検査項目とした場合、第２検査項目には、第１検査項目以外の検査項目が含まれることが好ましい。
【００１１】
画面出力制御部は、取得部で取得した検査データに係る全検査項目の中から、第１表示領域に第１検査項目として表示する検査項目、および第２表示領域に第２検査項目として表示する検査項目を設定することが好ましい。
【００１２】
画面出力制御部で設定されていない検査項目を第１検査項目に追加する、手動入力による追加指定を受け付ける指定受付部を備え、画面出力制御部は、指定受付部で追加指定を受け付けた検査項目を第１検査項目に追加し、かつ第２検査項目にも追加することが好ましい。
【００１３】
指定受付部で追加指定を受け付けた検査項目を、既に第２検査項目に設定していた場合、画面出力制御部は、既に設定していた第２検査項目を他の第２検査項目と異なる態様で表示することが好ましい。
【００１４】
指定受付部で追加指定を受け付けた検査項目を第２検査項目にも追加する場合、画面出力制御部は、追加する第２検査項目の検査値について、他の第２検査項目と同じ検査日時の検査値が存在しない場合、別の検査日時の検査値を表示することが好ましい。この場合、画面出力制御部は、別の検査日時の検査値を、他の第２検査項目の検査値と異なる態様で表示することが好ましい。
【００１５】
本発明の診療支援装置の作動方法は、患者に実施した医療検査の検査項目、検査値、および検査日時が関連付けて記憶された複数の検査データと、患者に投与した薬剤の種類、投与量、および投与期間が関連付けて記憶された複数の投薬データとを提供する診療支援装置の作動方法において、少なくとも１つの薬剤の投薬データと、薬剤の投与により影響を受ける少なくとも１つの検査項目の検査データとで構成される関連データセットを取得する取得ステップと、関連データセットについて、投与量と検査値とを隣接した位置に並べて時系列に表示する関連データセット表示欄を複数有する表示画面の出力を制御する画面出力制御ステップとを備える。
【００１６】
本発明の診療支援装置の作動プログラムは、患者に実施した医療検査の検査項目、検査値、および検査日時が関連付けて記憶された複数の検査データと、患者に投与した薬剤の種類、投与量、および投与期間が関連付けて記憶された複数の投薬データとを提供する診療支援装置の作動プログラムにおいて、少なくとも１つの薬剤の投薬データと、薬剤の投与により影響を受ける少なくとも１つの検査項目の検査データとで構成される関連データセットを取得する取得機能と、関連データセットについて、投与量と検査値とを隣接した位置に並べて時系列に表示する関連データセット表示欄を複数有する表示画面の出力を制御する画面出力制御機能とを、コンピュータに実行させる。
【００１７】
本発明の診療支援システムは、患者に実施した医療検査の検査項目、検査値、および検査日時が関連付けて記憶された複数の検査データと、患者に投与した薬剤の種類、投与量、および投与期間が関連付けて記憶された複数の投薬データとを提供する診療支援装置と、診療支援装置にネットワークを介して接続され、診療支援装置から検査データおよび投薬データの提供を受けるクライアント端末とを備える診療支援システムにおいて、少なくとも１つの薬剤の投薬データと、薬剤の投与により影響を受ける少なくとも１つの検査項目の検査データとで構成される関連データセットを取得する取得部と、関連データセットについて、投与量と検査値とを隣接した位置に並べて時系列に表示する関連データセット表示欄を複数有する表示画面の出力を制御する画面出力制御部とを備える。
【発明の効果】
【００１８】
本発明によれば、少なくとも１つの薬剤の投薬データと、薬剤の投与により影響を受ける少なくとも１つの検査項目の検査データとで構成される関連データセットについて、投与量と検査値とを隣接した位置に並べて時系列に表示する関連データセット表示欄を複数有する表示画面を出力するので、複数の薬剤の投薬データと複数の検査項目の検査データとを医師に提供する際に、投薬と患者の状態の因果関係を医師が一目で把握しやすくすることが可能な診療支援装置とその作動方法および作動プログラム、並びに診療支援システムを提供することができる。
【図面の簡単な説明】
【００１９】
【図１】診療支援システムを示す図である。
【図２】カルテＤＢに格納された電子カルテの内容を示す図である。
【図３】画像ＤＢに格納された検査画像の内容を示す図である。
【図４】クライアント端末および診療支援サーバを構成するコンピュータを示すブロック図である。
【図５】クライアント端末および診療支援サーバのＣＰＵの各機能部を示すブロック図である。
【図６】検査項目設定情報の内容を示す図である。
【図７】関連情報の内容を示す図である。
【図８】表示画面を示す図である。
【図９】第１表示領域の表示内容を示す図である。
【図１０】第１表示領域の表示内容を示す図である。
【図１１】第２表示領域の表示内容を示す図である。
【図１２】第３表示領域の表示内容を示す図である。
【図１３】第４表示領域の表示内容を示す図である。
【図１４】診療支援サーバの処理手順を示すフローチャートである。
【図１５】項目設定ダイアログを示す図である。
【図１６】新たに第１検査項目を追加した場合の第１表示領域の表示内容を示す図である。
【図１７】投薬表示設定ダイアログを示す図である。
【図１８】投薬データを１つの段にまとめた場合の第１表示領域の表示内容を示す図である。
【図１９】第３実施形態の説明図である。
【図２０】第４実施形態の説明図である。
【図２１】ある対象患者の尿検査の検査データの内容を示す図である。
【図２２】第５実施形態の説明図である。
【発明を実施するための形態】
【００２０】
[第１実施形態]
図１において、診療支援システム１０は、医療施設内に構築され、クライアント端末１１、および診療支援装置に相当する診療支援サーバ１２等を備える。クライアント端末１１と診療支援サーバ１２は、医療施設内に敷設されたＬＡＮ（Local Area Network）等のネットワーク１３を介して相互に通信可能に接続されている。
【００２１】
ネットワーク１３には、電子カルテサーバ１４および画像サーバ１５（以下、まとめてサーバ群１６と表記）も接続されている。電子カルテサーバ１４はカルテデータベース（以下、ＤＢ（Data Base）と略記）１４Ａを有し、カルテＤＢ１４Ａには電子カルテ１７が検索可能に記録されている。画像サーバ１５は画像ＤＢ１５Ａを有し、画像ＤＢ１５Ａには各種画像検査で得られた検査画像１８が検索可能に記録されている。なお、サーバ群１６には、これら各サーバ１４、１５の他にも、検査画像１８を読影医が読影した結果である所見をまとめた医用レポートが検索可能にＤＢに記録されたレポートサーバ等が設けられている。患者の遺伝子情報が検索可能にＤＢに記録された遺伝子情報サーバを設けてもよい。
【００２２】
クライアント端末１１、診療支援サーバ１２、およびサーバ群１６は、パーソナルコンピュータ、サーバコンピュータ、ワークステーションといったコンピュータをベースに、オペレーティングシステム等の制御プログラム、および各種アプリケーションプログラムをインストールして構成される。
【００２３】
診療支援サーバ１２は、医師の診療を支援するため、患者の診療過程で取得された様々な診療データを加工して医師に提供する。より具体的には、診療支援サーバ１２は、診療の対象となる１人の患者（以下、対象患者と表記）の各種診療データを、医師が分析しやすいように一画面にまとめた表示画面１９（図８等も参照）を出力する機能を有する。
【００２４】
診療データには検査データと投薬データが含まれる。検査データは、バイタルサイン、あるいは血液検査、尿検査といった検体検査等、患者に実施した医療検査に関するデータである。投薬データは、患者に投与した薬剤に関するデータである。なお、診療データには、これらの他にも、画像サーバ１５から取得される検査画像１８、あるいはレポートサーバから取得される医用レポート等がある。
【００２５】
クライアント端末１１は、患者を診療する医師、患者を看護する看護師、各種医療検査を実施する検査技師等の医療スタッフにより操作される。クライアント端末１１は、内科、外科、検査科、リハビリ科等の診療科毎、または医療スタッフ毎に複数台配備されている。クライアント端末１１は、診療支援サーバ１２およびサーバ群１６が提供する各種機能を利用して患者の診療を行う際、具体的には電子カルテ１７、検査画像１８、あるいは表示画面１９を閲覧する際、および電子カルテ１７に各種診療データを入力する際等に使用される。なお、クライアント端末１１は、図１に示すように各診療科に据え置かれる据え置き型でもよいし、各医療スタッフが持ち運ぶ携帯型でもよい。
【００２６】
診療支援サーバ１２は、クライアント端末１１からの配信要求を受け付ける。診療支援サーバ１２は、配信要求に応じた診療データをサーバ群１６から取得し、取得した診療データに基づいて表示画面１９を生成する。診療支援サーバ１２は、生成した表示画面１９を、配信要求の要求元のクライアント端末１１に送信する。
【００２７】
また、診療支援サーバ１２は、クライアント端末１１からの編集要求を受け付ける。診療支援サーバ１２は、編集要求に応じて表示画面１９を編集し、編集した表示画面１９を、編集要求の要求元のクライアント端末１１に送信する。
【００２８】
診療支援サーバ１２は、ウェブブラウザ上で閲覧可能な表示画面１９を生成し、これをクライアント端末１１に送信する。診療支援サーバ１２は、クライアント端末１１に対して認証キーを発行して、診療支援サーバ１２へのアクセス権限を与える。診療支援サーバ１２にアクセスして認証を行った後、クライアント端末１１には、診療支援サーバ１２から送信された表示画面１９が表示される。
【００２９】
診療支援サーバ１２は、表示画面１９を、例えば、ＸＭＬ（Extensible Markup Language）等のマークアップ言語によって作成されるウェブ配信用の画面データの形式で出力する。クライアント端末１１は、画面データに基づき表示画面１９をウェブブラウザ上に再現して表示する。なお、ＸＭＬに代えて、ＪＳＯＮ（JavaScript（登録商標） Object Notation）等の他のデータ記述言語を利用してもよい。
【００３０】
図２において、カルテＤＢ１４Ａの電子カルテ１７は、「Ｐ００１」といった個々の患者を識別するための記号および番号である患者ＩＤ（Identification Data）が関連付けられて患者単位で管理される。電子カルテサーバ１４は、この患者ＩＤを検索キーとしてカルテＤＢ１４Ａから電子カルテ１７を検索することが可能である。
【００３１】
電子カルテ１７は、複数の検査データと複数の投薬データとを有する。検査データは、バイタルサイン、血液検査、尿検査等の検査種類別に整理され、検査項目、検査値、および検査日時が関連付けて記憶されている。検査項目には、例えばバイタルサインであれば体温、脈拍、血圧（上下）等があり、血液検査であれば白血球数、血小板、随時血糖等がある。投薬データは、薬剤Ａ、薬剤Ｂ等の薬剤の種類別に整理され、投与量、および投与期間が関連付けて記憶されている。
【００３２】
なお、電子カルテ１７には、患者ＩＤの他、患者の氏名、性別、年齢、生年月日、嗜好（喫煙、飲酒の有無）、既往症、アレルギーといった患者情報が記録されている。また、医療検査、医用レポート作成、手術、投薬等の指示を記したオーダ、初診、入退院等の患者の診療過程で生じたイベント、あるいは患者主訴、診療記録、看護記録、家族からの情報等も時系列に記録されている。
【００３３】
図３において、画像ＤＢ１５Ａの検査画像１８は、電子カルテ１７と同じく患者ＩＤが関連付けられて患者単位で管理される。電子カルテサーバ１４と同じく、画像サーバ１５は、患者ＩＤを検索キーとして画像ＤＢ１５Ａから検査画像１８を検索することが可能である。
【００３４】
検査画像１８は、各種画像検査で得られた画像である。各種画像検査には、例えばＣＲ（Computed Radiography；コンピュータＸ線撮影）検査、ＣＴ（Computed tomography；コンピュータ断層撮影）検査、ＭＲＩ（Magnetic Resonance Imaging；核磁気共鳴画像法）検査、ＥＣＧ（Electro cardiogram；心電図）検査、ＣＡＧ（Coronary Angiography；冠動脈カテーテル）検査、ＵＳ（Ultrasonography；超音波）検査、内視鏡検査等がある。ＣＲ検査、ＣＴ検査、ＭＲＩ検査等の検査画像１８は、例えばＤＩＣＯＭ（Digital Imaging and Communications in Medicine）規格のデータファイル形式で作成される。
【００３５】
検査画像１８の１件分のファイルは、検査画像１８の本体と、検査日時、画像ＩＤ、オーダＩＤ、画像検査の種類、撮影部位、方向といった様々な付帯情報とで構成される。画像サーバ１５は、こうした付帯情報とともに検査画像１８を診療データとして診療支援サーバ１２に送信する。
【００３６】
画像ＩＤは、各検査画像１８を識別するための記号および番号であり、オーダＩＤは、各種画像検査を指示するオーダを識別するための記号および番号である。ＣＴ検査およびＣＡＧ検査等、１回に複数枚の検査画像１８が撮影される画像検査の場合は、複数枚の検査画像１８が１回の画像検査で得られたことを示すために各検査画像１８に共通のオーダＩＤが付与され、１まとめの検査画像１８として管理される。
【００３７】
図４において、クライアント端末１１および診療支援サーバ１２を構成するコンピュータは、基本的な構成は同じであり、それぞれ、ストレージデバイス２５、メモリ２６、ＣＰＵ（Central Processing Unit）２７、通信部２８、ディスプレイ２９、および入力デバイス３０を備えている。これらはデータバス３１を介して相互接続されている。
【００３８】
ストレージデバイス２５は、クライアント端末１１等を構成するコンピュータに内蔵、またはケーブルあるいはネットワークを通じて接続されたハードディスクドライブ、もしくはハードディスクドライブを複数台連装したディスクアレイである。ストレージデバイス２５には、オペレーティングシステム等の制御プログラム、各種アプリケーションプログラム、およびこれらのプログラムに付随する各種画面の表示データ等が記憶されている。
【００３９】
メモリ２６は、ＣＰＵ２７が処理を実行するためのワークメモリである。ＣＰＵ２７は、ストレージデバイス２５に記憶されたプログラムをメモリ２６へロードして、プログラムにしたがった処理を実行することにより、コンピュータの各部を統括的に制御する。
【００４０】
通信部２８は、ネットワーク１３を介した各種情報の伝送制御を行うネットワークインターフェースである。ディスプレイ２９は、マウスおよびキーボード等の入力デバイス３０の操作に応じた各種画面を表示する。画面にはＧＵＩ(Graphical User Interface)による操作機能が備えられる。クライアント端末１１等を構成するコンピュータは、画面を通じて入力デバイス３０からの操作指示の入力を受け付ける。
【００４１】
なお、以下の説明では、クライアント端末１１を構成するコンピュータの各部には添え字の「Ａ」を、診療支援サーバ１２を構成するコンピュータの各部には添え字の「Ｂ」をそれぞれ符号に付して区別する。
【００４２】
図５において、ウェブブラウザが起動されると、クライアント端末１１のＣＰＵ２７Ａは、メモリ２６等と協働して、ＧＵＩ制御部３５、およびブラウザ制御部３６として機能する。
【００４３】
ＧＵＩ制御部３５は、各種画面をディスプレイ２９Ａに表示し、かつ各種画面を通じて入力デバイス３０Ａから入力される操作指示を受け付ける。操作指示には、診療支援サーバ１２への表示画面１９の配信指示、編集指示がある。ＧＵＩ制御部３５は、受け付けた操作指示をブラウザ制御部３６に出力する。
【００４４】
ブラウザ制御部３６は、ウェブブラウザの動作を制御する。ブラウザ制御部３６は、ＧＵＩ制御部３５からの配信指示に応じた配信要求、および編集指示に応じた編集要求を診療支援サーバ１２に対して発行する。
【００４５】
また、ブラウザ制御部３６は、診療支援サーバ１２からの表示画面１９の画面データを受け取る。ブラウザ制御部３６は、画面データに基づきウェブブラウザ上に表示する表示画面１９を再現し、これをＧＵＩ制御部３５に出力する。ＧＵＩ制御部３５は、表示画面１９をディスプレイ２９Ａに表示する。
【００４６】
診療支援サーバ１２のストレージデバイス２５Ｂには、作動プログラム４０が記憶されている。作動プログラム４０は、診療支援サーバ１２を構成するコンピュータを、診療支援装置として機能させるためのアプリケーションプログラムである。
【００４７】
ストレージデバイス２５Ｂには、作動プログラム４０の他に、表示画面１９の生成に必要な検査項目設定情報４１（図６参照）および関連情報４２（図７参照）が記憶されている。
【００４８】
作動プログラム４０が起動されると、診療支援サーバ１２のＣＰＵ２７Ｂは、メモリ２６等と協働して、要求受付部５０、取得部５１、および画面出力制御部５２として機能する。
【００４９】
要求受付部５０は、クライアント端末１１からの配信要求および編集要求を受け付ける。要求受付部５０は、配信要求を取得部５１に、編集要求を画面出力制御部５２にそれぞれ出力する。
【００５０】
取得部５１は、配信要求に応じて、サーバ群１６に対して取得要求を発行する。そして、取得要求に応じてサーバ群１６から送信された診療データを取得する。取得部５１は、診療データを画面出力制御部５２に出力する。
【００５１】
画面出力制御部５２は、診療データに基づき表示画面１９を生成する。また、画面出力制御部５２は、編集要求に応じて表示画面１９を編集する。画面出力制御部５２は、表示画面１９を配信要求または編集要求の要求元のクライアント端末１１に送信する。
【００５２】
図６において、検査項目設定情報４１には、心不全、糖尿病といった疾患・病態別に、表示画面１９に表示する検査項目が登録されている。表示画面１９に表示する検査項目は、検査種類毎に第１検査項目と第２検査項目とに分かれている。第１検査項目には、その疾患・病態において特に注視すべき検査項目が設定される。一方、第２検査項目には、その疾患・病態において網羅的に見ておくべき検査項目が設定される。このため、第２検査項目には、第１検査項目以外の検査項目が含まれ、第２検査項目は第１検査項目よりも数が多い。
【００５３】
例えば疾患・病態が心不全の場合のバイタルサインの第１検査項目には、体温、脈拍、血圧（上下）が設定され、第２検査項目には、体温、脈拍、血圧（上下）に加えてサチュレーション（血中酸素濃度）が設定されている。また、疾患・病態が糖尿病の場合の血液検査の第１検査項目には、ＨｂＡ１ｃ（HemoglobinA1c；グリコヘモグロビン）、随時血糖が設定され、第２検査項目には、ＨｂＡ１ｃ、随時血糖に加えて、クレアチニン、ＢＵＮ（Blood Urea Nitrogen；血液尿素窒素）、空腹時血糖等が設定されている。
【００５４】
画面出力制御部５２は、対象患者の疾患・病態に応じた第１検査項目および第２検査項目を検査項目設定情報４１から読み出し、読み出した第１検査項目および第２検査項目を元に、取得部５１からの診療データのうちの検査データに係る全検査項目の中から、第１検査項目として表示する検査項目、および第２検査項目として表示する検査項目を設定する。
【００５５】
図７において、関連情報４２は、薬剤の投与により影響を受ける検査項目を薬剤の種類別に登録したものである。例えば薬剤Ａ、薬剤Ｂは、影響を受ける検査項目に血圧（上下）が登録されている。また、薬剤Ｆは、影響を受ける検査項目に体温、脈拍、血圧（上下）、随時血糖、および空腹時血糖が登録されている。このように、影響を受ける検査項目の中には複数の薬剤に共通するものがあり、また、薬剤の中には影響を受ける検査項目が複数存在するものがある。
【００５６】
取得部５１で取得されて画面出力制御部５２に出力された投薬データと検査データの中には、関連情報４２に登録された少なくとも１つの薬剤の投薬データと、その薬剤の投与により影響を受ける少なくとも１つの検査項目の検査データとで構成される関連データセットが複数含まれている場合がある。
【００５７】
なお、「薬剤の投与により影響を受ける」とは、ここでは降圧剤の投与による血圧低下、解熱剤の投与による発熱沈静化等の投薬による主作用（薬効）と、抗癌剤の投与による白血球数の減少、抗生物質の投与による肝機能低下等の投薬による副作用の両方の概念を含む。
【００５８】
画面出力制御部５２は、関連情報４２に基づいて、表示画面１９に複数の関連データセット表示欄８０Ａ〜８０Ｃ（図９参照）を表示する。
【００５９】
医師がクライアント端末１１を通じて診療支援サーバ１２にアクセスして認証を行った後、クライアント端末１１のディスプレイ２９Ａのウェブブラウザ上には、患者ＩＤの入力画面が表示される。入力画面には、例えば患者ＩＤの入力ボックスと送信ボタンとが用意されている。入力ボックスに対象患者の患者ＩＤが入力されて送信ボタンが選択された場合、クライアント端末１１のブラウザ制御部３６から診療支援サーバ１２の要求受付部５０に対象患者の患者ＩＤを含む配信要求が発行される。
【００６０】
取得部５１からサーバ群１６に発行される取得要求には、配信要求に含まれる対象患者の患者ＩＤが検索キーとして付される。サーバ群１６は、対象患者の患者ＩＤが付された電子カルテ１７および検査画像１８等を診療データとして取得部５１に送信する。画面出力制御部５２は、このサーバ群１６からの対象患者の診療データに基づき、図８に示す表示画面１９を生成する。
【００６１】
図８において、表示画面１９は、第１表示領域６０、第２表示領域６１、第３表示領域６２、第４表示領域６３のおおよそ４つの表示領域に分かれている。第１表示領域６０は表示画面１９の左側に配され、例えば表示画面１９の約１／３の面積を占める。第２表示領域６１は第１表示領域６０の右側に並べて配され、例えば表示画面１９の約２／３の面積を占める。第３表示領域６２は表示画面１９の最上部に配されている。第４表示領域６３は第２表示領域６１と第３表示領域６２の間に配されている。
【００６２】
図９および図１０において、第１表示領域６０には、トピックス表６５が表示される。トピックス表６５の上部には行方向に沿って日時軸６６が、左横には列方向に沿って項目軸６７がそれぞれ割り当てられている。なお、ここでは対象患者の疾患・病態が心不全の場合を例示している。以降の図１１等も同様である。
【００６３】
日時軸６６は列方向に関して３つの段に分かれており、上段に年月、中段に日付、下段に時刻がそれぞれ表示される。中段の日付は１週間分用意されており、カーソル６８で選択することが可能である。日付がカーソル６８で選択された場合、ブラウザ制御部３６から要求受付部５０に選択された日付を含む編集要求が発行される。
【００６４】
図９および図１０では、ハッチングＨ１で強調表示するように、対象患者の診療データを取得した最新の日付である「２０１５．１２．１９」が選択された状態を示している。画面出力制御部５２は、配信要求に応じて、対象患者の診療データを取得した最新の日付が日時軸６６の最右端に配され、かつ最新の日付が選択された、図９および図１０に示す表示画面１９を最初に生成する。
【００６５】
日時軸６６には、左側にいくにつれて過去の日時が配される。上段の年月の右横には、折り畳み・展開ボタン６９が配されている。折り畳み・展開ボタン６９がカーソル６８で選択されると、例えば日時軸６６の表示期間が最新の日と最新の日の直前の診療日の２日間に折り畳まれたり、図示のように１週間に展開されたりする。また、中段の日付の左右には、日付戻しボタン７０Ａと日付送りボタン７０Ｂが配されている。日付戻しボタン７０Ａがカーソル６８で選択されると、日時軸６６の日付が過去に向かって１日ずつ戻される。一方、日付送りボタン７０Ｂがカーソル６８で選択されると、日時軸６６の日付が最新の日付に向かって１日ずつ送られる。
【００６６】
項目軸６７も列方向に関して複数の段に分かれている。最上段の診療／検査の行方向には、その日時に診療または検査を担当した医療スタッフの氏名の頭文字（ここでは「山」）が表示される。２〜６段目には、疾患・病態が心不全の場合の第１検査項目（図６参照）である、バイタルサインの体温、脈拍、血圧（上下）、血液検査のＢＮＰ（Brain Natriuretic Peptide；脳性ナトリウム利尿ペプチド）、および尿検査の尿量の各検査項目と数値目盛りとが表示される。尿量以外の各検査項目の数値目盛りには、正常値または基準値が表示される。
【００６７】
各検査項目の段の行方向には、検査値の時系列変化が表示される。具体的には、体温の段および脈拍の段の行方向には、各時刻の検査値をプロットして線で結んだ折れ線グラフ７１Ａおよび７１Ｂがそれぞれ表示される。血圧（上下）の段の行方向には、血圧（上）の検査値を上辺、血圧（下）の検査値を下辺でそれぞれ表した矩形を時刻毎に並べた箱グラフ７１Ｃが表示される。ＢＮＰの段の行方向には、血液検査を実施した日付毎に、検査値を表す棒グラフ７１Ｄが、尿量の段の行方向には、各日付の水分摂取量と尿量を示す棒グラフ７１Ｅがそれぞれ表示される。また、尿量を除く各検査項目の段の行方向には、正常値または基準値を示す線７２あるいは正常値または基準値の範囲を示すバー７３が表示される。
【００６８】
各検査項目のうち、血圧（上下）、ＢＮＰ、および尿量のそれぞれの段には、当該検査項目が影響を受ける薬剤が投与されたことを示す錠剤マーク７４Ａまたは点滴マーク７４Ｂが表示される。各マーク７４Ａ、７４Ｂの行方向には、薬剤の種類および投与量を示す文字情報７５と投与期間を示すバー７６とが表示される。薬剤の投与開始日時、および薬剤の投与量変更日時に該当するバー７６の位置には、矢印状のマーク７７が表示される。薬剤の投与終了日時は、バー７６の終端で示される。
【００６９】
血圧（上下）、ＢＮＰ、および尿量の段は、図７の関連情報４２に登録された関連データセットについて、投与量と検査値とを隣接した位置に並べて時系列に表示する関連データセット表示欄８０Ａ、８０Ｂ、８０Ｃに該当する。より詳しくは、関連データセット表示欄８０Ａには、薬剤Ａ、Ｂの投与量と血圧（上下）の検査値とが隣接した位置に並べて時系列に表示される。関連データセット表示欄８０Ｂには、薬剤Ｃ、Ｄ、Ｊの投与量とＢＮＰの検査値とが隣接した位置に並べて時系列に表示される。関連データセット表示欄８０Ｃには、薬剤Ｅ、Ｍの投与量と尿量の検査値とが隣接した位置に並べて時系列に表示される。
【００７０】
ここで、「隣接した位置に並べて表示」とは、文字通りに解釈すると、投与量の時系列変化を表す段と検査値の時系列変化を表す段を隣り合わせで並べて表示することであるが、本発明では、投与量の時系列変化を表す段と検査値の時系列変化を表す段の間に、多少のスペースがある場合も「隣接した位置に並べて表示」に含まれる。投与量と検査値の間に関連性があることが想起される配置であればよい。
【００７１】
このように、複数の薬剤に対して、影響を受ける検査項目が１つである場合、画面出力制御部５２は、複数の薬剤の投薬データと１つの検査項目の検査データとを１つの関連データセットとして扱い、複数の薬剤の投与量と１つの検査項目の検査値とを１つの関連データセット表示欄８０にまとめて表示する。
【００７２】
上述のように、これら関連データセット表示欄８０Ａ〜８０Ｃはトピックス表６５に表示され、トピックス表６５は第１表示領域６０に表示される。すなわち第１表示領域６０は関連データセット表示欄８０Ａ〜８０Ｃを含み、表示画面１９は３つの関連データセット表示欄８０Ａ〜８０Ｃを有する。さらに上述のように、第１表示領域６０は、関連データセット表示欄８０Ａ〜８０Ｃに表示される検査項目である血圧（上下）、ＢＮＰ、および尿量以外の検査項目である体温、脈拍の検査値を時系列に表示する。
【００７３】
カーソル６８で選択された日付（ここでは「２０１５．１２．１９」）には、各検査項目の検査値を示す文字情報８５が表示される。また、カーソル６８で選択された日付には、薬剤の種類および投与量を文字情報７５よりも拡大して表示した文字情報８６が表示される。これら文字情報８５、８６は、カーソル６８で選択された日付のみに表示され、それ以外の日付には表示されない。このため、文字情報８５、８６に邪魔されて検査値および投与量の時系列変化が見にくくなることが防がれる。
【００７４】
図１０に示すように、各検査項目の下の段には、画像およびリハビリテーションの段が設けられている。画像の段の行方向には、各種画像検査を実施した日付毎に、検査画像１８のサムネイル８７が表示される。リハビリテーションの段の行方向には、リハビリテーションの段階を示すイラスト８８が表示される。
【００７５】
図１１において、第２表示領域６１には、診療データの詳細を表示する複数のウィンドウ９０Ａ〜９０Ｈが並べて表示される。各ウィンドウ９０Ａ〜９０Ｈには、日時軸６６で選択された日付における最新の診療データが表示される。
【００７６】
ウィンドウ９０Ａにはバイタルサインの複数の検査項目の検査値、ウィンドウ９０Ｂには血液検査の複数の検査項目の検査値、ウィンドウ９０Ｃには尿検査の複数の検査項目の検査値がそれぞれリスト表示される。すなわち、第２表示領域６１には、第１表示領域６０の日時軸６６の表示期間内の一時点における複数の検査項目の検査値がリスト表示される。
【００７７】
ウィンドウ９０Ａ〜９０Ｃに表示される検査項目は、図６に示す検査項目設定情報４１の疾患・病態が心不全の場合の第２検査項目である。例えばバイタルサインの検査値をリスト表示するウィンドウ９０Ａには、体温、脈拍、サチュレーション、血圧（上下）の各検査項目が表示され、血液検査の検査値をリスト表示するウィンドウ９０Ｂには、白血球数、クレアチニン、ＢＮＰ、随時血糖等の各検査項目が表示される。
【００７８】
ウィンドウ９０Ｄには薬剤の種類と投与量がリスト表示される。ウィンドウ９０Ｄにリスト表示される薬剤には、第１表示領域６０に表示された薬剤以外の薬剤も含まれる。こうした第１表示領域６０に表示されず第２表示領域６１に表示される薬剤は、その薬剤の投与により影響を受ける検査項目が第１検査項目として設定されていないものである。
【００７９】
ウィンドウ９０Ｅには前回と今回のＣＲ検査の検査画像１８、ウィンドウ９０ＦにはＵＳ検査の検査画像１８および医用レポートの縮小画像９１、ウィンドウ９０ＧにはＥＣＧ検査の検査画像１８および医用レポートの縮小画像９１がそれぞれ表示される。ウィンドウ９０Ｈにはリハビリテーション科の医療スタッフによるリハビリテーション記録が表示される。
【００８０】
各ウィンドウ９０Ａ〜９０Ｈは、カーソル６８で選択することが可能である。各ウィンドウ９０Ａ〜９０Ｈがカーソル６８で選択された場合、各ウィンドウ９０Ａ〜９０Ｈの拡大ウィンドウが表示画面１９上にポップアップ表示される。拡大ウィンドウによって、各検査項目の検査値の全容、あるいはフルサイズの検査画像１８および医用レポートを確認することができる。
【００８１】
各ウィンドウ９０Ａ〜９０Ｈには、日時軸６６で選択された日付に診療データが存在する場合、その診療データが表示される。一方、日時軸６６で選択された日付に診療データが存在しない場合には、日時軸６６で選択された日付よりも過去に取得された診療データのうちの最新の診療データが各ウィンドウ９０Ａ〜９０Ｈに表示される。
【００８２】
図１１の場合、日時軸６６で選択された日付である「２０１５．１２．１９」に診療データが存在するものは、バイタルサイン、血液検査、投薬、ＣＲ検査、リハビリテーション記録であり、これらのウィンドウ９０Ａ、９０Ｂ、９０Ｄ、９０Ｅ、９０Ｈには、「２０１５．１２．１９」に取得された診療データが表示される。
【００８３】
一方、「２０１５．１２．１９」に診療データが存在しないものは、尿検査、ＵＳ検査、ＥＣＧ検査であり、これらのウィンドウ９０Ｃ、９０Ｆ、９０Ｇには、「２０１５．１２．１９」よりも過去に取得された診療データのうちの最新の診療データ（例えば尿検査のウィンドウ９０Ｃの「２０１５．１２．１４」等）が表示される。
【００８４】
なお、日時軸６６で選択された日付に診療データが存在するウィンドウ９０に、そのことを示す枠を表示したり、日時軸６６で選択された日付に診療データが存在するウィンドウ９０の背景色を変更する等して、日時軸６６で選択された日付に診療データが存在するウィンドウ９０を、診療データが存在しないウィンドウ９０と異なる態様で表示してもよい。
【００８５】
図１２は、第３表示領域６２を３分割して拡大表示したものである。第３表示領域６２には、左端部から中央部に掛けて、対象患者の患者情報（患者ＩＤ、氏名、性別、年齢、生年月日、嗜好、既往症、アレルギー）がまとめて表示される。また、第３表示領域６２の右端部には、対象患者の担当医師の所属診療科および氏名、並びに対象患者の主担当看護師の氏名が表示される。
【００８６】
第３表示領域６２の下部には、病歴ログメーター９５と、過去入院ボタン９６およびフェーズ切替ボタン９７が設けられている。病歴ログメーター９５は、トピックス表６５の日時軸６６が１週間という比較的短い期間であるのに対し、対象患者の過去から現在までの比較的長い期間（ここでは５０歳から８０歳までの３０年間）における病歴を簡易的に表したものである。病歴ログメーター９５は、対象患者の年齢毎に区切ったコマ９８を複数並べた構成で、入退院、手術等のイベントが発生した年齢のコマ９８には、そのことを示す矢印状のマーク９９が表示される。
【００８７】
コマ９８は、対象患者の現在の年齢のコマ９８（ここでは８０歳のコマ９８）の長さが最も長くなっている。そして、１年前から５年前のコマ９８（ここでは７５歳〜７９歳のコマ９８）の長さは、現在の年齢のコマ９８よりも短くなっており、それ以前のコマ９８（ここでは５０歳〜７４歳のコマ９８）の長さは、１年前から５年前のコマ９８よりもさらに短くなっている。すなわち、病歴ログメーター９５は、現時点から所定の時間遡った期間（ここでは７５歳から８０歳の期間）の単位時間当たりの長さが、それ以外の期間（ここでは５０歳から７４歳の期間）よりも長く設定されている。この病歴ログメーター９５により、医療スタッフは対象患者の生涯にわたる病歴を簡単に把握することができる。
【００８８】
過去入院ボタン９６は、対象患者の過去の入院歴を示すボタンである。このため、対象患者に過去の入院歴がない場合は、過去入院ボタン９６は表示されない。
【００８９】
過去入院ボタン９６は、対象患者が過去に入院した期間に該当する病歴ログメーター９５の下部の位置に表示される。過去入院ボタン９６をカーソル６８で選択すると、当該入院期間に実施した医療検査の検査結果の要約が記述された退院サマリが表示画面１９上にポップアップ表示される。
【００９０】
フェーズ切替ボタン９７には、初診、ＣＣＵ（Coronary Care Unit；集中治療室）、入院、通院の各診療フェーズに対応したボタン９７Ａ、９７Ｂ、９７Ｃ、９７Ｄが用意されている。フェーズ切替ボタン９７も過去入院ボタン９６と同様に、各診療フェーズの期間に該当する病歴ログメーター９５の下部の位置に表示される。
【００９１】
フェーズ切替ボタン９７をカーソル６８で選択すると、ブラウザ制御部３６から要求受付部５０に編集要求が発行され、表示画面１９の表示が各診療フェーズに適応した表示に切り替わる。例えば初診ボタン９７Ａが選択された場合、第１表示領域６０には、トピックス表６５の代わりに、対象患者の疾患・病態の発生部位（心不全の場合は心臓、糖尿病の場合は肝臓等）をマークしたシェーマ図と、初診時に対象患者が受けた医療検査の検査結果の簡単なまとめが表示される。また、通院ボタン９７Ｄが選択された場合は、第１表示領域６０には日時軸６７が最新の日と最新の日の直前の診療日の２日間に折り畳まれたトピックス表６５が表示される。
【００９２】
画面出力制御部５２は、配信要求に応じて、対象患者に直近で発生したイベントに該当するフェーズ切替ボタン９７が選択された状態の表示画面１９を最初に生成する。なお、ここでは対象患者に直近で発生したイベントが入院であり、ハッチングＨ２で強調表示するように入院ボタン９７Ｃが選択された場合を示している。
【００９３】
図１３において、第４表示領域６３には、第２表示領域６１と同様に複数のウィンドウ１０５Ａ〜１０５Ｃが並べて表示される。各ウィンドウ１０５Ａ〜１０５Ｃには、第２表示領域６１と同様に日時軸６６で選択された日付における最新の診療データが表示される。
【００９４】
ウィンドウ１０５Ａには患者主訴、ウィンドウ１０５Ｂには表示画面１９を閲覧している医師の所属診療科の診療記録、ウィンドウ１０５Ｃには看護記録がそれぞれ記録日時とともに表示される。
【００９５】
なお、これら各ウィンドウ１０５Ａ〜１０５Ｃに加えて、あるいは代えて、既往症、アレルギーを表示するウィンドウ、家族からの情報を表示するウィンドウ、入院前に服用していた薬剤を表示するウィンドウ、入院後または通院中に罹患した他の疾患を表示するウィンドウ等を第４表示領域６３に表示してもよい。
【００９６】
また、例えば既往症、アレルギーを表示するウィンドウと入院前に服用していた薬剤を表示するウィンドウは初診ボタン９７Ａが選択された場合のみ表示し、家族からの情報を表示するウィンドウは初診ボタン９７Ａが選択された場合と通院ボタン９７Ｄが選択された場合に表示する等、フェーズ切替ボタン９７の選択に応じてこれら各種ウィンドウの表示を切り替えてもよい。
【００９７】
第３表示領域６２のウィンドウ９０および第４表示領域６３のウィンドウ１０５の並び順あるいはサイズといった表示レイアウトは、作動プログラム４０によって予め規定されていてもよいし、医師が自由にカスタマイズ可能に構成してもよい。
【００９８】
以下、上記構成による作用について、図１４のフローチャートを参照して説明する。まず医師は、クライアント端末１１を通じて診療支援サーバ１２にアクセスして認証を行う。認証後、クライアント端末１１のディスプレイ２９Ａには患者ＩＤの入力画面が表示される。
【００９９】
医師は、入力画面の入力ボックスに対象患者の患者ＩＤを入力し、カーソル６８で入力画面の送信ボタンを選択する。これによりクライアント端末１１から診療支援サーバ１２に表示画面１９の配信要求が送信される。
【０１００】
診療支援サーバ１２では、要求受付部５０により配信要求が受け付けられる（ステップＳ１００でＹＥＳ）。配信要求は取得部５１に出力される。これにより取得部５１からサーバ群１６に取得要求が発行され（ステップＳ１１０）、取得要求に応じてサーバ群１６から送信された対象患者の診療データが取得部５１で取得される（ステップＳ１２０）。診療データには関連データセットが含まれる。すなわち、ステップＳ１２０は、関連データセットを取得する取得ステップに相当する。
【０１０１】
対象患者の診療データは取得部５１から画面出力制御部５２に出力される。ステップＳ１３０に示すように、画面出力制御部５２により対象患者の診療データに基づく表示画面１９が生成される。そして、生成された表示画面１９が配信要求の要求元のクライアント端末１１に送信される。
【０１０２】
クライアント端末１１では、診療支援サーバ１２からの表示画面１９がブラウザ制御部３６で受け取られ、ＧＵＩ制御部３５によりディスプレイ２９Ａに表示される。
【０１０３】
対象患者に直近で発生したイベントが入院で、対象患者の疾患・病態が心不全であった場合、図８〜図１３に示す表示画面１９がディスプレイ２９Ａに表示される。
【０１０４】
図９に示すように、この場合の表示画面１９の第１表示領域６０には、投与量と検査値とを隣接した位置に並べて時系列に表示した関連データセットを１セットとし、この関連データセットを複数並べて３つの関連データセット表示欄８０Ａ〜８０Ｃが表示される。これら関連データセット表示欄８０Ａ〜８０Ｃによれば、投薬データと検査データとが複数表示されていても、薬剤の投与量とその薬剤の投与により影響を受ける検査項目の検査値の時系列変化との関連性が一見して明らかとなり、投薬と患者の状態の因果関係を医師が一目で把握しやすくなる。したがって医師は、容易に対象患者の疾患あるいは病態の進行状況を確認したり、今後の治療方針を決定することができる。
【０１０５】
例えば、薬剤Ａ、Ｂの投与量と血圧（上下）の検査値とが隣接した位置に並べて時系列に表示された関連データセット表示欄８０Ａによれば、「２０１５．１２．１５」に薬剤Ａに加えて薬剤Ｂを投与したことで、その後血圧低下の主作用が顕著に現れたことが分かり、薬剤Ｂの投与の判断が正しかったことを裏付けることができる。
【０１０６】
第１表示領域６０には、関連データセット表示欄８０Ａ〜８０Ｃに表示される検査項目以外の検査項目の検査値が時系列に表示されるので、薬剤の投与により影響を受ける検査項目の検査値の時系列変化だけでなく、それ以外の検査項目の検査値の時系列変化も一緒に見比べることができ、一覧性に優れている。
【０１０７】
また、図１１に示すように、第２表示領域６１には、第１表示領域６０の表示期間内の一時点における複数の検査項目の検査値がリスト表示され、リスト表示される検査項目、すなわち第２検査項目には、第１表示領域６０に表示される検査項目、すなわち第１検査項目以外の検査項目が含まれるので、より詳細かつ網羅的に対象患者の状態を把握することができる。
【０１０８】
第１表示領域６０に第１検査項目として表示する検査項目、および第２表示領域６１に第２検査項目として表示する検査項目は、図６に示す検査項目設定情報４１を元に、画面出力制御部５２により設定される。このため、医師は手間を掛けることなく対象患者の疾患・病態に適合した検査項目の検査値の時系列変化および詳細を見ることができる。
【０１０９】
医師は、表示画面１９を閲覧し、必要に応じて日時軸６６の日付あるいはフェーズ切替ボタン９７をカーソル６８で選択する。これによりクライアント端末１１から診療支援サーバ１２に表示画面１９の編集要求が送信される。
【０１１０】
診療支援サーバ１２では、要求受付部５０により編集要求が受け付けられる（ステップＳ１４０でＹＥＳ）。編集要求は画面出力制御部５２に出力される。
【０１１１】
日時軸６６の日付がカーソル６８で選択された場合、画面出力制御部５２により、第１表示領域６０のハッチングＨ１で示す強調表示、および文字情報８５、８６の表示がカーソル６８で選択された日付に切り替えられ、かつ第２表示領域６１の各ウィンドウ９０の診療データが、カーソル６８で選択された日付における最新の診療データに更新される。また、フェーズ切替ボタン９７がカーソル６８で選択された場合、画面出力制御部５２により、表示画面１９の表示が各診療フェーズに適応した表示に切り替えられる。こうして編集された表示画面１９は、画面出力制御部５２により編集要求の要求元のクライアント端末１１に出力される（ステップＳ１５０）。これら一連の処理は、表示画面１９の表示終了の指示（ステップＳ１６０でＹＥＳ）があるまで繰り返し続けられる。
【０１１２】
初診の際は対象患者の容態を詳細に把握する必要があり、入院の際は投薬による治療効果を見分けて今後の治療方針を決定する必要があり、通院の際は前回と今回の医療検査の検査結果を見比べて対象患者が快方に向かっているか否かを見極める必要がある等、診療フェーズに応じて検査結果の分析の視点が異なる。このため、本実施形態のように表示画面１９の表示を各診療フェーズに適応した表示に切り替えることで、各診療フェーズに応じた的確な検査結果の分析が可能となる。
【０１１３】
上記第１実施形態で示した関連データセット表示欄８０では、同じ薬剤の投薬データが複数の関連データセット表示欄８０にわたって重複して表示される例は挙げられていないが、図７における薬剤Ｆのように、投与により影響を受ける検査項目が複数存在する薬剤の場合は、同じ薬剤の投薬データが複数の関連データセット表示欄８０にわたって表示される。なお、投与により影響を受ける検査項目が複数存在する場合、同じ薬剤の投薬データの重複表示を避けるために、関連データセット表示欄８０として表示する１つの検査項目を予め設定しておいてもよい。
【０１１４】
なお、第２検査項目は、第１検査項目以外の検査項目を含んでいればよく、必ずしも第１検査項目を含んでいなくともよい。
【０１１５】
［第２実施形態］
上記第１実施形態では、検査項目設定情報４１を元に第１検査項目として表示する検査項目を設定しているが、図１５および図１６に示す第２実施形態では、第１検査項目として表示する検査項目を医師が自由に設定可能とする。
【０１１６】
図１５において、項目設定ダイアログ１１０は、血液検査の検査項目を第１検査項目に追加または第１検査項目から除外する、手動入力による追加指定または除外指定を受け付けるためのものである。項目設定ダイアログ１１０は、例えば項目軸６７の血液検査の段にカーソル６８を合わせてマウスをダブルクリックすることでトピックス表６５上にポップアップ表示される。
【０１１７】
項目設定ダイアログ１１０には、取得部５１で取得した血液検査の検査データに係る全検査項目がリスト表示され、その下部にはＣａｎｃｅｌボタン１１１とＯＫボタン１１２が配されている。
【０１１８】
各検査項目の横にはチェックボックス１１３が設けられている。チェックマークが表示されたチェックボックス１１３の検査項目が第１検査項目として設定される。医師は、第１検査項目に追加する検査項目のチェックボックス１１３をカーソル６８で選択してチェックマークを出現させるか、第１検査項目から除外する検査項目のチェックボックス１１３をカーソル６８で選択してチェックマークの表示を消す。カーソル６８でＯＫボタン１１２が選択されると、ブラウザ制御部３６から要求受付部５０に、チェックボックス１１３の選択状態、すなわち第１検査項目の追加指定または除外指定を含む編集要求が発行される。この編集要求は要求受付部５０で受け付けられる。つまり、要求受付部５０は指定受付部として機能する。
【０１１９】
図１５では、第１検査項目としてＢＮＰが既に設定されていて、新たにＡＳＴ（Aspartate Transaminase；アスパラギン酸アミノ基転移酵素）（ＧＯＴ（Glutamic Oxaloacetic Transaminase；グルタミン酸オキサロ酢酸アミノ基転移酵素））とＡＬＴ（Alanine Aminotransferase；アラニンアミノ基転移酵素）（ＧＰＴ（Glutamic Pyruvic Transaminase；グルタミン酸ピルビン酸アミノ基転移酵素））を第１検査項目に追加指定する場合を示している。
【０１２０】
画面出力制御部５２は、要求受付部５０で追加指定を受け付けた検査項目を第１検査項目に追加する。図１５の場合はＡＳＴ（ＧＯＴ）とＡＬＴ（ＧＰＴ）の追加指定であるため、画面出力制御部５２は、ＡＳＴ（ＧＯＴ）とＡＬＴ（ＧＰＴ）を第１検査項目に追加する。
【０１２１】
画面出力制御部５２は、追加指定を受け付けた検査項目を第１検査項目に追加した表示画面１９を、編集要求の要求元のクライアント端末１１に送信する。より具体的には図１６に示すように、項目軸６７の血液検査のＢＮＰの段の下に、ＡＳＴ（ＧＯＴ）の段およびＡＬＴ（ＧＰＴ）の段が追加される。ＡＳＴ（ＧＯＴ）の段およびＡＬＴ（ＧＰＴ）の段の行方向には、各日付の検査値をプロットして線で結んだ折れ線グラフ７１Ｆおよび７１Ｇがそれぞれ表示される。
【０１２２】
新たに第１検査項目の段を追加した分、トピックス表６５が列方向に幅が広がり、そのままでは表示画面１９内にトピックス表６５が収まらなくなることがある。この場合、画面出力制御部５２は、他の段の列方向の幅を縮める。
【０１２３】
図１６では、画像の段の列方向の幅が縮められている。すなわち、画像の段の行方向に、上記第１実施形態のサムネイル８７に代えて、サムネイル８７の１／５程度の表示サイズの矩形状のマーク１１５を表示することで、画像の段の列方向の幅を縮め、トピックス表６５が表示画面１９内に収まるようにしている。
【０１２４】
画像の段には、日時軸６６の年月の右横に配された折り畳み・展開ボタン６９と同様の機能を有する折り畳み・展開ボタン１１６が配される。折り畳み・展開ボタン１１６がカーソル６８で選択されると、画像の段の表示態様が、図１６に示すようにマーク１１５が表示された態様と、上記第１実施形態の図１０に示すようにサムネイル８７が表示された態様とに切り替わる。なお、図示は省略するが、サムネイル８７が表示された態様の場合は、表示画面１９内にトピックス表６５が収まらなくなるため、トピックス表６５に縦スクロールバーが設けられる。
【０１２５】
このように、第１検査項目として表示する検査項目を設定可能とすれば、注目したい検査項目を第１検査項目に追加して、その検査値の時系列変化をトピックス表６５に表示して簡単に閲覧することができたり、逆にさほど重要視しない検査項目を第１検査項目から除外して、その検査値の時系列変化を簡単に非表示とすることができる。
【０１２６】
トピックス表６５上にポップアップ表示される項目設定ダイアログ１１０で追加指定または除外指定が可能であるため、わざわざ別画面に遷移して追加指定または除外指定を行う手間を省くことができる。
【０１２７】
なお、図１５および図１６では、血液検査の検査項目を第１検査項目に追加または除外する場合を例示したが、他のバイタルサインあるいは尿検査の検査項目についても同様に、項目設定ダイアログ１１０で検査項目を第１検査項目に追加または第１検査項目から除外することができる（図１９等参照）。
【０１２８】
第１検査項目だけでなく第２検査項目も医師が設定可能としてもよい。また、図１７に示す投薬表示設定ダイアログ１２０を表示し、トピックス表６５に投薬データを表示する薬剤、および投薬データの表示態様を医師が設定可能としてもよい。
【０１２９】
投薬表示設定ダイアログ１２０には、取得部５１で取得した投薬データに係る全薬剤がリスト表示され、その下部にはＣａｎｃｅｌボタン１２１とＯＫボタン１２２が配されている。
【０１３０】
各薬剤の横にはチェックボックス１２３が設けられている。チェックマークが表示されたチェックボックス１２３の薬剤は、トピックス表６５に投薬データを表示する薬剤である。医師は、トピックス表６５に投薬データを表示する薬剤のチェックボックス１２３をカーソル６８で選択してチェックマークを出現させるか、トピックス表６５に投薬データを表示しない薬剤のチェックボックス１２３をカーソル６８で選択してチェックマークの表示を消す。
【０１３１】
ラジオボタン１２４は、投薬データの表示態様を設定するためのものである。「一括」は、上記第１実施形態とは異なり関連データセット表示欄８０内ではなく１つの段にまとめて各薬剤の投薬データを表示する態様であり、「個別」は、上記第１実施形態のように関連データセット表示欄８０内に検査データと投薬データを並べて表示する態様である。ラジオボタン１２４により、「一括」、「個別」の２つの表示態様のうちのいずれかが択一的に選択される。
【０１３２】
カーソル６８でＯＫボタン１２２が選択されると、ブラウザ制御部３６から要求受付部５０に、チェックボックス１２３およびラジオボタン１２４の選択状態を含む編集要求が発行される。画面出力制御部５２は、要求受付部５０で表示の指定を受け付けた薬剤の投薬データをトピックス表６５に追加する。あるいは要求受付部５０で非表示の指定を受け付けた薬剤の投薬データをトピックス表６５から消す。
【０１３３】
ラジオボタン１２４で「一括」の表示態様が選択された場合、画面出力制御部５２は、図１８に示すように、各薬剤の投薬データを１つの段にまとめたトピックス表６５を第１表示領域６０に表示する。図１８では、投薬の段を点滴マーク７４Ｂと錠剤マーク７４Ａの段に分け、点滴薬の投薬データを点滴マーク７４Ｂの段の行方向に、錠剤の投薬データを錠剤マーク７４Ａの段の行方向にそれぞれまとめて表示している。
【０１３４】
このように、トピックス表６５に投薬データを表示する薬剤を設定可能とすれば、注目したい薬剤の投与量の時系列変化をトピックス表６５に表示して簡単に閲覧することができたり、逆に検討にさほど必要ない薬剤の投与量の時系列変化を簡単に非表示とすることができる。
【０１３５】
また、投薬データの表示態様を設定可能とすれば、投薬データと検査データの関連性を見たい場合には「個別」を選択して関連データセット表示欄８０に投薬データと検査データを並べて表示し、投薬データと検査データの関連性をさほど重要視しない場合には「一括」を選択して投薬データを１つの段にまとめて表示する等、医師の好みに合った表示態様に簡単に切り替えることができる。
【０１３６】
［第３実施形態］
上記第２実施形態において、第１検査項目への追加指定を受け付けた検査項目が、追加指定前に第２検査項目として設定されていなかった場合、追加指定後の第２表示領域６１には、第１検査項目への追加指定を受け付けた検査項目が第２検査項目として表示されない。追加指定した検査項目は医師が特に注目したい検査項目であるため、追加指定した検査項目が第２検査項目として表示されないと、追加指定した検査項目を注目して検討を行いたいという医師の要望に応えることができない。
【０１３７】
そこで図１９に示す第３実施形態では、第１検査項目への追加指定を受け付けた検査項目が、追加指定前に第２検査項目として設定されていなかった場合、追加指定を受け付けた検査項目を第２検査項目にも追加する。
【０１３８】
図１９は、尿検査の検査項目を追加指定する場合の例である。上部は追加指定前、下部は追加指定後をそれぞれ示す。追加指定前は、項目設定ダイアログ１１０および項目軸６７に示すように尿蛋白、尿糖の各検査項目が第１検査項目として設定され、ウィンドウ９０Ｃに示すように尿蛋白、尿糖の各検査項目に加えて尿潜血、尿ウロビリノーゲンが第２検査項目として設定され、尿比重は第２検査項目として設定されていない状態である。
【０１３９】
この追加指定前の状態から、追加指定後の項目設定ダイアログ１１０に示すように尿比重が第１検査項目として設定された場合、画面出力制御部５２は、追加指定後の項目軸６７に示すように尿比重を第１検査項目に追加し、かつ追加指定後のウィンドウ９０Ｃに示すように尿比重を第２検査項目にも追加する。
【０１４０】
このように、第１検査項目への追加指定を受け付けた検査項目を第２検査項目にも追加することで、追加指定した検査項目が必ず第１表示領域６０および第２表示領域６１の両方に表示されるので、追加指定した検査項目を注目して検討を行いたいという医師の要望に応えることができる。
【０１４１】
［第４実施形態］
図２０に示す第４実施形態では、第１検査項目への追加指定を受け付けた検査項目が、既に第２検査項目に設定されていた場合、既に設定されていた第２検査項目を他の第２検査項目と異なる態様で表示する。
【０１４２】
図２０は、図１９と同様に尿検査の検査項目を追加指定する場合の例で、上部は追加指定前、下部は追加指定後をそれぞれ示す。追加指定前は、項目設定ダイアログ１１０および項目軸６７に示すように、図１９と同様に尿蛋白、尿糖の各検査項目が第１検査項目として設定されている状態である。一方、第２検査項目は、ウィンドウ９０Ｃに示すように尿蛋白、尿糖の各検査項目に加えて尿潜血、尿ウロビリノーゲン、さらには尿比重が設定されている状態である。ウィンドウ９０Ｃには尿蛋白、尿糖、尿潜血、尿ウロビリノーゲン、尿比重の順に各検査項目が表示されている。
【０１４３】
この追加指定前の状態から、追加指定後の項目設定ダイアログ１１０に示すように尿比重が第１検査項目として設定された場合、画面出力制御部５２は、追加指定後の項目軸６７に示すように尿比重を第１検査項目に追加し、かつ追加指定後のウィンドウ９０Ｃに示すように尿比重をリストの最下位から最上位に移動させ、他の第２検査項目と異なる態様で表示する。
【０１４４】
このように、既に設定していた第２検査項目を他の第２検査項目と異なる態様で表示することで、上記第３実施形態と同様に追加指定した検査項目を注目して検討を行いたいという医師の要望に応えることができる。
【０１４５】
なお、既に設定していた第２検査項目を他の第２検査項目と異なる態様で表示する方法としては、図２０のようにリストの表示順位を変更する方法に代えて、あるいは加えて、既に設定していた第２検査項目を枠で囲んだり点滅表示させる、もしくは既に設定していた第２検査項目の背景色を他の第２検査項目と別にする等の方法を用いてもよい。
【０１４６】
［第５実施形態］
図２１および図２２に示す第５実施形態では、第１検査項目への追加指定を受け付けた検査項目を第２検査項目にも追加する場合、追加する第２検査項目の検査値について、他の第２検査項目と同じ検査日時の検査値が存在しない場合、別の検査日時の検査値を表示する。そして、別の検査日時の検査値を、他の第２検査項目の検査値と異なる態様で表示する。
【０１４７】
図２１は、ある対象患者の尿検査の検査データの内容を示している。検査日時「２０１５．１２．１４」以外の検査日時では、尿量、尿蛋白、尿糖、尿潜血、尿比重、尿ＰＨ（Potential Hydrogen；水素イオン指数）の各検査項目の検査値が存在し、検査日時「２０１５．１２．１４」においては、尿ＰＨの検査値が存在しない。
【０１４８】
図２２は、図２１に示す尿検査の検査データを有する対象患者について、図１９および図２０と同様に尿検査の検査項目を追加指定する場合の例である。上部は追加指定前、下部は追加指定後をそれぞれ示す。追加指定前は、図２０と同様に、項目設定ダイアログ１１０および項目軸６７に示すように、尿蛋白、尿糖の各検査項目が第１検査項目として設定され、ウィンドウ９０Ｃに示すように尿蛋白、尿糖の各検査項目に加えて尿潜血、尿ウロビリノーゲン、尿比重が第２検査項目として設定され、尿ＰＨは第２検査項目として設定されていない状態である。また、ウィンドウ９０Ｃには「２０１５．１２．１４」の各検査項目の検査値が表示されている状態である。
【０１４９】
この追加指定前の状態から、追加指定後の項目設定ダイアログ１１０に示すように尿ＰＨが第１検査項目として設定された場合、画面出力制御部５２は、追加指定後の項目軸６７に示すように尿ＰＨを第１検査項目に追加し、かつ追加指定後のウィンドウ９０Ｃに示すように、尿ＰＨについては、「２０１５．１２．０９」の検査値「４．８」を表示し、かつ上部に「２０１５．１２．０９」を表示して他の第２検査項目と異なる態様で表示する。
【０１５０】
このように、追加する第２検査項目の検査値について、他の第２検査項目と同じ検査日時の検査値が存在しない場合、別の検査日時の検査値を表示することで、上記第３、第４実施形態と同様に追加指定した検査項目を注目して検討を行いたいという医師の要望に応えることができる。また、別の検査日時の検査値を、他の第２検査項目の検査値と異なる態様で表示することで、その検査値が他の第２検査項目の検査値とは別の検査日時に取得されたものであることを医師に明示することができる。
【０１５１】
なお、別の検査日時の検査値を、他の第２検査項目の検査値と異なる態様で表示する方法としては、図２２のように別の検査日時を表示する方法に代えて、あるいは加えて、別の検査日時の検査値を枠で囲んだり点滅表示させる、もしくは別の検査日時の検査値の背景色を他の第２検査項目の検査値と別にする等の方法を用いてもよい。
【０１５２】
また、表示する別の検査日時の検査値としては、なるべく検査値の取得タイミングの一致を図るため、他の第２検査項目の検査日時と比較的近い検査日時、例えば他の第２検査項目の検査日時の直前または直後の検査日時の検査値であることが好ましい。
【０１５３】
上記各実施形態では、トピックス表６５の行方向に日時軸６６、列方向に項目軸６７をそれぞれ割り当てているが、逆に行方向に項目軸６７、列方向に日時軸６６を割り当ててもよい。
【０１５４】
なお、対象患者が表示画面１９を閲覧している医師の所属診療科以外の他科の診療を受けている場合、マウスをクリックする等の簡単な操作で他科の診療記録を表示画面１９上にポップアップ表示させてもよい。この場合、他科の退院サマリを閲覧するためのボタン、あるいは他科の医師宛ての電子メールを作成する電子メールソフトを起動させるボタン等を診療記録と併せて表示すれば、利便性が高まる。
【０１５５】
本発明の診療支援装置に相当する診療支援サーバ１２を構成するコンピュータのハードウェア構成は種々の変形が可能である。例えば、診療支援サーバ１２を、処理能力および信頼性の向上を目的として、ハードウェアとして分離された複数台のサーバコンピュータで構成することも可能である。例えば、要求受付部５０および画面出力制御部５２の機能と、取得部５１の機能とを、２台のサーバコンピュータに分散して担わせる。この場合は２台のサーバコンピュータで診療支援装置を構成する。
【０１５６】
また、上記第１実施形態では、診療支援サーバ１２で表示画面１９を生成し、診療支援サーバ１２からの表示画面１９の画面データに基づいて、クライアント端末１１側で表示画面１９を再現してディスプレイ２９Ａに表示する態様を例示したが、表示画面１９の生成の元となる診療データを診療支援サーバ１２からクライアント端末１１に送信し、クライアント端末１１側で表示画面１９を生成してもよい。この場合、画面出力制御部５２はクライアント端末１１のＣＰＵ２７Ａに構築される。
【０１５７】
さらに、診療支援サーバ１２のＣＰＵ２７Ｂに構築した各機能部をクライアント端末１１のＣＰＵ２７Ａに構築し、クライアント端末１１を診療支援装置として稼働させてもよい。この場合、要求受付部５０は、配信要求等に代えて、ＧＵＩ制御部３５からの指示を直接受け付ける。また、画面出力制御部５２は、生成した表示画面１９をＧＵＩ制御部３５に出力する。
【０１５８】
このように、コンピュータのハードウェア構成は、処理能力、安全性、信頼性等の要求される性能に応じて適宜変更することができる。さらに、ハードウェアに限らず、作動プログラム４０等のアプリケーションプログラムについても、安全性および信頼性の確保を目的として、二重化したり、あるいは、複数のストレージデバイスに分散して格納することももちろん可能である。
【０１５９】
上記各実施形態では、診療支援サーバ１２を１つの医療施設内で利用する形態で説明したが、診療支援サーバ１２を複数の医療施設が利用可能な形態としてもよい。
【０１６０】
上記各実施形態では、診療支援サーバ１２は、１つの医療施設内に設置されるクライアント端末１１がＬＡＮ等のネットワーク１３を介して通信可能に接続され、クライアント端末１１からの配信要求等に応じた表示画面１９を提供する形態である。これを複数の医療施設で利用可能とするためには、診療支援サーバ１２を、例えば、インターネットあるいは公衆通信網等のＷＡＮ（Wide Area Network）を介して、複数の医療施設に設置される各クライアント端末１１と通信可能に接続する。そして、複数の医療施設の各クライアント端末１１からの配信要求等を、ＷＡＮを介して診療支援サーバ１２で受け付けて、各クライアント端末１１に対して表示画面１９を提供する。なお、ＷＡＮを利用する場合には、情報セキュリティを考慮して、ＶＰＮ（Virtual Private Network）を構築したり、ＨＴＴＰＳ（Hypertext Transfer Protocol Secure)等のセキュリティレベルの高い通信プロトコルを使用することが好ましい。
【０１６１】
なお、この場合は電子カルテ１７および検査画像１８等は医療施設毎に管理される。また、この場合の診療支援サーバ１２の設置場所および運営主体は、例えば医療施設とは別の会社が運営するデータセンタでもよいし、複数の医療施設のうちの１つでもよい。
【０１６２】
本発明は、上述の種々の実施形態あるいは種々の変形例を適宜組み合わせることも可能である。また、上記各実施形態に限らず、本発明の要旨を逸脱しない限り種々の構成を採用し得ることはもちろんである。さらに、本発明は、プログラムに加えて、プログラムを記憶する記憶媒体にも及ぶ。
【符号の説明】
【０１６３】
１０  診療支援システム
１１  クライアント端末
１２  診療支援サーバ（診療支援装置）
１３  ネットワーク
１４  電子カルテサーバ
１４Ａ  カルテデータベース（ＤＢ）
１５  画像サーバ
１５Ａ  画像データベース（ＤＢ）
１６  サーバ群
１７  電子カルテ
１８  検査画像
１９  表示画面
２５、２５Ｂ  ストレージデバイス
２６  メモリ
２７、２７Ａ、２７Ｂ  ＣＰＵ
２８  通信部
２９、２９Ａ  ディスプレイ
３０、３０Ａ  入力デバイス
３１  データバス
３５  ＧＵＩ制御部
３６  ブラウザ制御部
４０  作動プログラム
４１  検査項目設定情報
４２  関連情報
５０  要求受付部（指定受付部）
５１  取得部
５２  画面出力制御部
６０  第１表示領域
６１  第２表示領域
６２  第３表示領域
６３  第４表示領域
６５  トピックス表
６６  日時軸
６７  項目軸
６８  カーソル
６９、１１６  折り畳み・展開ボタン
７０Ａ  日付戻しボタン
７０Ｂ  日付送りボタン
７１Ａ、７１Ｂ、７１Ｆ、７１Ｇ  折れ線グラフ
７１Ｃ  箱グラフ
７１Ｄ、７１Ｅ  棒グラフ
７２  線
７３、７６  バー
７４Ａ  錠剤マーク
７４Ｂ  点滴マーク
７５、８５、８６  文字情報
７７、９９、１１５  マーク
８０、８０Ａ〜８０Ｃ  関連データセット表示欄
８７  サムネイル
８８  イラスト
９０Ａ〜９０Ｈ、１０５Ａ〜１０５Ｃ  ウィンドウ
９１  縮小画像
９５  病歴ログメーター
９６  過去入院ボタン
９７、９７Ａ〜９７Ｄ  フェーズ切替ボタン
９８  コマ
１１０  項目設定ダイアログ
１１１、１２１  Ｃａｎｃｅｌボタン
１１２、１２２  ＯＫボタン
１１３、１２３  チェックボックス
１２０  投薬表示設定ダイアログ
１２４  ラジオボタン
【図１】
0006603576.tif 000002
【図２】
0006603576.tif 000003
【図３】
0006603576.tif 000004
【図４】
0006603576.tif 000005
【図５】
0006603576.tif 000006
【図６】
0006603576.tif 000007
【図７】
0006603576.tif 000008
【図８】
0006603576.tif 000009
【図９】
0006603576.tif 000010
【図１０】
0006603576.tif 000011
【図１１】
0006603576.tif 000012
【図１２】
0006603576.tif 000013
【図１３】
0006603576.tif 000014
【図１４】
0006603576.tif 000015
【図１５】
0006603576.tif 000016
【図１６】
0006603576.tif 000017
【図１７】
0006603576.tif 000018
【図１８】
0006603576.tif 000019
【図１９】
0006603576.tif 000020
【図２０】
0006603576.tif 000021
【図２１】
0006603576.tif 000022
【図２２】
0006603576.tif 000023